(57)【要約】【課題】本発明は取りつけ作業が容易で、足場を組む必要がなく、手摺りの支柱などを取りつけることができる手摺りなどの取りつけ構造を提供する。【解決手段】構造躯体１１に固定される保持ブロック１５と、その保持ブロックとの間に手摺りの支柱２２を挟持する押さえカバー１８と、その押さえカバーを前記保持ブロックないし構造躯体１１に固定するためのボルト１３、１６とからなる保持構造１０。保持ブロック１５は、支柱２２を挟持する受け部３４と、その受け部の縁部から突出する係合突起３８とを有する。押さえカバー１８は、保持ブロックの係合突起３８と揺動自在に係合する係合端部４７と、支柱２２を挟持する押さえ部４６とを有する。【選択図】  図１
2005009125.tif 000002
【特許請求の範囲】
【請求項１】
構造躯体に固定される保持ブロックと、その保持ブロックとの間に取りつけるべき部材を挟持する押さえカバーと、その押さえカバーを前記保持ブロックないし構造躯体に固定するための締結部材とからなり、
前記保持ブロックが、前記取りつけるべき部材を挟持する受け部と、その受け部の縁部から突出する係合突起とを有し、
前記押さえカバーが、保持ブロックの係合突起と揺動自在に係合する係合端部と、取りつけるべき部材を挟持する押さえ部と、その押さえ部を挟んで係合端部の反対側に設けられる基部とを有し、
前記締結部材が押さえカバーの基部と保持ブロックとを締結するものである、
手摺りなどの保持構造。
【請求項２】
前記保持ブロックの係合突起が、取りつけるべき部材の中心軸と平行に延びる円柱状の先端部を有し、前記押さえカバーの係合端部が、その先端部と回動自在に係合するフック状の形態を有する請求項１記載の保持構造。
【請求項３】
前記保持ブロックの受け部および押さえカバーの押さえ部がそれぞれ凹陥した円筒状の内底面と、その内底面の両側から立ち上がる平坦な内側面とを有する溝部を備えている請求項１記載の保持構造。
【請求項４】
前記内側面が、内底面の円弧の半径方向に延びており、それにより先端に向かって幅が狭くなっている請求項３記載の保持構造。
【請求項５】
前記保持ブロックおよび押さえカバーが縦方向に延びる手摺りの支柱を保持するものである請求項１、２、３または４記載の保持構造。
【請求項６】
前記支柱が、挟持される前後一対の円筒状の凸面と、平坦な側面とを備えた小判状の断面を有する請求項７記載の保持構造。
【発明の詳細な説明】
【０００１】
【発明の属する技術分野】
本発明は手摺りなどの保持構造に関する。さらに詳しくは、高所の通路、テラス、建物の屋上などに転落防止用の手摺りなどを容易に取りつけることができる、手摺りなどの保持構造に関する。
【０００２】
【従来の技術】
【特許文献１】特開２００２−３２２７８２
【０００３】
図６に示す従来の取りつけ金具１００は、構造躯体に溶接されるコ字状のプレート１０１と、そのプレートにボルト１０２およびナット１０３で固定される保持ブロック１０４および押さえカバー１０５とからなる。保持ブロック１０４および押さえカバー１０５には、縦方向に配置される手摺りの支柱１０６を挟持するための円筒面状の凹面１０７、１０８が形成されている。保持ブロック１０４および押さえカバー１０５はそれぞれ実質的に左右対称であり、その４隅をボルト１０２およびナット１０３でプレート１０１に螺着される。
【０００４】
上記の取りつけ金具１００は、あらかじめ組み立てた手摺りを構造躯体に取りつけることができ、設置現場での穴明け加工などが不要である。また、円柱状の支柱１０６をしっかりと把持することができる。さらにプレート１０１と保持ブロック１０４との間に調整スペーサを介在させることにより、構造躯体の前後の凹凸を調整してまっすぐに手摺りを配置することができる。
【０００５】
特許文献１には、図８に示すように、丸パイプ状の手摺り１１１を支柱１１２に固定するための、金属薄板からなる弾力性を有する挟持クランプ１１３とネジ１１４などからなる手摺り取りつけ具１１０が開示されている。このものはネジ１１４を締め付けることにより、挟持クランプ１１３で手摺り１１１を挟持すると共に、支柱の上端に取りつけた支持部材１１５に挟持クランプ１１３の重ね合わせた基部を固定することができる。なお、建設用足場の縦方向の横方向の２本の足場用パイプを、交差状態で結合するためのクランプも知られている。
【０００６】
【発明が解決しようとする課題】
図６の取りつけ金具１０５を用いてあらかじめ組み立てた状態の手摺り１００を構造躯体に取りつける場合、手摺り１００を支えながら、押さえカバー１１５を保持し、その外側からボルト１１２をねじ込む。そのため、作業が繁雑であり、建物などの構造物の外側に足場を組み、その足場の上で作業する必要がある。
【０００７】
また、特許文献１の挟持クランプ１１３は、ネジ１本で取りつけることができるが、保持力が弱いため、縦方向の支柱を保持させるには不充分である。また、建設の足場用のパイプを連結する押さえカバーは、仮設現場用であるので、見栄えがわるく、完成品の手摺りを取りつけることには使えない。本発明は取りつけ作業が容易で、そのため足場を組む必要がなく、縦方向の支柱を取りつけることもできる手摺りなどの取りつけ構造を提供することを技術課題としている。
【０００８】
【課題を解決するための手段】
本発明の手摺りなどの保持構造は、構造躯体に固定される保持ブロックと、その保持ブロックとの間に取りつけるべき部材を挟持する押さえカバーと、その押さえカバーを前記保持ブロックないし構造躯体に固定するための締結部材とからなり、前記保持ブロックが、前記取りつけるべき部材を挟持する受け部と、その受け部の縁部から突出する係合突起とを有し、前記押さえカバーが、保持ブロックの係合突起と揺動自在に係合する係合端部と、取りつけるべき部材を挟持する押さえ部と、その押さえ部を挟んで係合端部の反対側に設けられる基部とを有し、前記締結部材が押さえカバーの基部と保持ブロックとを締結するものであることを特徴としている。
【０００９】
このような保持構造においては、前記締結部材が、押さえカバーの基部と保持ブロックとを構造躯体に一体に締結するものであるのが好ましい。さらに前記保持ブロックの、受け部を挟んで係合突起と反対側を構造躯体に締結するための第２の締結部材を備えているものが好ましい。また前記保持ブロックの係合突起が、取りつけるべき部材の中心軸と平行に延びる円柱状の先端部を有し、前記押さえカバーの係合端部が、その先端部と回動自在に係合するフック状の形態を有するものが好ましい。
【００１０】
また、前記保持ブロックおよび押さえカバーが、それぞれアルミニウムの押し出し成形品であるものが好ましい。さらに前記保持ブロックの受け部および押さえカバーの押さえ部がそれぞれ凹陥した円筒状の内底面と、その内底面の両側から立ち上がる平坦な内側面とを有する溝部を備えている保持構造が好ましい。その場合、前記内側面が、内底面の円弧の半径方向に延びており、それにより先端に向かって幅が狭くなっているものが好ましい。
【００１１】
さらに前記保持ブロックの受け部を挟んで係合突起とは反対側に凹溝が形成されており、前記押さえカバーにその凹溝と嵌合する突条が設けられているものが好ましい。その場合、前記凹溝の中央側の立ち上がり壁のうち、少なくとも一方が前面側に向かって開く傾斜面となっているものが一層好ましい。さらに前記凹溝の左右の立ち上がり壁の両方がそれぞれ傾斜面になっているものが好ましい。
【００１２】
また、前記いずれの場合でも、保持ブロックおよび押さえカバーが縦方向に延びる支柱を保持するものであるのが好ましい。その場合、前記支柱が、挟持される前後一対の円筒状の凸面と、平坦な側面とを備えた小判状の断面を有するものが好ましい。また、前記構造躯体が水平に配置されており、その構造躯体の前面に複数個のプレートが固定されており、複数個の前記保持ブロックが、それらのプレートを介して構造躯体に取りつけられているものが好ましい。
【００１３】
【作用および発明の効果】
本発明の手摺りなどの保持構造は、押さえカバーの係合端部を保持ブロックの係合突起に係合させ、押さえカバーの基部側を保持ブロックに押さえつけると、てこの作用で支柱などをしっかりと支えることができる。そのためその状態で締結部材を締結するだけで支柱などを容易に固定することができる。また、締結部材をいくらか緩めた状態にしても、押さえカバーが保持ブロックから脱落しないので、保持ブロックの下に調整スペーサ（シム）などを介在させることができ、高さ調節が容易である。したがって足場を組まなくても、建物の端の通路などに、通路側から容易に手摺りを取りつけることができる。
【００１４】
前記締結部材が、押さえカバーの基部と保持ブロックとを構造躯体に一体に締結するものである場合は、保持ブロックの取り付けと押さえカバーの締め付けとを同時に行うことができ、取りつけ作業が効率的である。また、前記保持ブロックの、受け部を挟んで係合突起と反対側を構造躯体に締結するための第２の締結部材を備えている場合は、その第２の締結部材で保持ブロックを構造躯体に固定しておくことができる。そしてその後、押さえカバーと共に保持ブロックを構造躯体に一体に取りつければ、作業効率が高くなる。
【００１５】
前記保持ブロックの係合突起が、取りつけるべき部材の中心軸と平行に延びる円柱状の先端部を有し、前記押さえカバーの係合端部が、その先端部と回動自在に係合するフック状の形態を有する場合は、押さえカバーの係合端部を保持ブロックの係合突起に係合させ、そのまま押さえカバーを保持ブロックに当接させるだけで保持ブロックの受け部と押さえカバーの押さえ部の心合わせができるので、作業効率が高い。
【００１６】
前記保持ブロックおよび押さえカバーが、それぞれアルミニウムの押し出し成形品である場合は、耐候性が高く、しかも外観が優れている。また、精度が高い保持ブロックおよび押さえカバーを得ることができる。前記保持ブロックの受け部および押さえカバーの押さえ部がそれぞれ凹陥した円筒状の内底面（断面円弧状）と、その内底面の両側から立ち上がる平坦な内側面とを有する溝部を備えている場合は、挟持される前後の面が円筒状で、両側面が平坦な支柱などの取りつけるべき部材をしっかりと保持することができる。また、前記内側面が、内底面の円弧の半径方向に延びており、それにより先端に向かって幅が狭くなっている場合は、両側面が平行の平坦な支柱を保持する場合に、保持ブロックをいくらか回動させることができ、取りつけ時の調整が容易である。
【００１７】
前記保持ブロックの受け部に関して係合突起とは反対側に凹溝が形成されており、前記押さえカバーにその凹溝と嵌合する突条が設けられている場合は、凹溝と突条の嵌合により保持ブロックと押さえカバーの位置決めを行うことができる。したがって円筒状の支柱などを受け部と押さえ部の間に挟み込む場合でも、正確に把持させることができる。前記凹溝の中央側の立ち上がり壁のうち、少なくとも一方が上面側に向かって開く傾斜面となっている場合は、押さえカバーを保持ブロックに当接させる場合に自然と位置決めさせることができる。とくに前記凹溝の立ち上がり壁の両方がそれぞれ傾斜面になっている場合は、押さえカバーで挟み込むときに容易に、かつ、確実に挟み込むことができる。
【００１８】
前記保持ブロックおよび押さえカバーが縦方向に延びる手摺りの支柱を保持するものである場合は、高い位置に手摺りを取りつける場合にも、足場を組む必要がない。また、前記支柱が、挟持される前後一対の円筒状の凸面（断面円弧状）と、平坦な側面とを備えた小判状の断面を有する場合は、前後からしっかりと挟持することができる。その場合、平坦な側面と支柱の側面との間に隙間を設ける場合は、支柱に対して保持ブロックを回転させることができるので、調整が容易である。その場合、前記内側面が、内底面の円弧の半径方向に延びており、それにより先端に向かって幅が狭くなっている場合は、両側面が平行の平坦な支柱を保持する場合に、保持ブロックをいくらか回動させることができ、しかも入り口部の隙間が狭いため、支柱への取り付けがしっかりする。さらに前記構造躯体が水平に配置されており、その構造躯体の前面に複数個のプレートが固定されており、複数個の前記保持ブロックが、それらのプレートを介して構造躯体に取りつけられている場合は、横方向に長い手摺りでも、確実に構造躯体に取りつけることができる。
【００１９】
【発明の実施の形態】
つぎに図面を参照しながら本発明の手摺りなどの保持構造の実施の形態を説明する。図１ａは本発明の保持構造の一実施形態を示す平面図、図１ｂはその保持構造の取りつけ途中の状態を示す平面図、図２はその保持構造の組立前の平面図、図３はその保持構造の組立前の斜視図、図４は図１の保持構造を用いて支柱を取りつける場合の他の実施形態を示す平面図、図５ａおよび図５ｂはそれぞれその保持構造を用いて取りつけた立体駐車場の手摺りの一例を示す正面図および断面図、図６はその保持構造を４層の立体駐車場の手摺りに適用した場合を示す立面図である。
【００２０】
図１ａに示す保持構造１０は、立体駐車場などのフロア端部あるいは通路の側縁に沿って取りつけられる手摺り（図５ａ、図５ｂの符号２０参照）を固定するものであり、構造躯体１１に固定されるプレート１２と、そのプレートにボルト１３およびナット１４により締結される保持ブロック１５と、その保持ブロック１５およびプレート１２に対し、ボルト１６およびナット１７により締結される押さえカバー１８とから構成されている。保持ブロック１５とプレート１２の間には、調整スペーサ１９が介在されている。
【００２１】
前記構造躯体１１は、たとえば図５ａ、図５ｂに示すような、立体駐車場の床面（コンクリートスラブ）２１から５００ｍｍ程度のところに配置される角パイプやＨ型鋼などであり、自動車などが落下することを防止する柵として機能する。手摺り２０は、縦方向に延びる複数本の支柱２２と、それらの支柱の上端同士を連結する笠木部材２３と、支柱２２の下部近辺同士を連結する横部材２４と、前記笠木部材２３と横部材２４との間に縦方向に張られる複数本の縦部材２５とを備えている。そして構造躯体１１に固定した保持構造１０で手摺り２０の支柱２２を挟持させることにより、手摺り２０を構造躯体１１に固定している。なお、符号２６は腰壁である。
【００２２】
前記保持構造１０のプレート１２は図３に示すように、平面形状でコ字状を呈する部材である。このプレート１２は、Ｈ型鋼などの構造躯体１１に溶接などで固着される。プレート１２の平坦部の４隅にはボルト１３を通すための貫通孔３１が形成され、その裏面側に前記ナット１４が溶接されている。
【００２３】
前記保持ブロック１５は、プレート１２側に取りつけられる板状のベース３３と、そのベースの中央部に設けられる受け部３４と、図３の右端から突出する突条３５とを有する。ベース３３の裏面３３ａは平坦にされている。受け部３４は断面コ字状を呈し、は円筒状に凹陥する内底面３４ａと、その両側から立ち上がる平坦な内側面３４ｂとからなる溝部を備えている。この実施形態では、左右の内側面３４ｂ、３４ｂは、それぞれ断面円弧状の内底面の半径方向に延びており、それにより内側面同士の間隔は、先端側に向かってしだいに狭くなっている。そして図４に示すように、先端が支柱２２の平行な側面のほぼ中間位置にくるので、支柱２２に対して保持ブロック１５を隙間の分だけ回動させることができる。そのため、保持ブロック１５が角度θだけ傾いた状態でも、手摺りを直線状に取りつけることができる。
【００２４】
すなわち保持ブロックを取りつける構造材、たとえばＨ型鋼は、図面のように直線ではなく、捻れたり曲がっていたりしている。そして手摺りの取りつけに当たり、平行な出入りは調整スペーサ１９で対応できるが、斜め方向の捻りは左右の調整スペーサ１９を調整しても保持ブロック１５は手摺りと平行に取りつけることが困難で、ほとんどの場合はできない。そのため、手摺りの支柱２２の前後に円弧状の面を設け、保持ブロック１５の溝部の内底面を断面円弧状に形成し、左右の内側面３４ａ、３４ｂと支柱２２の側面との間に隙間を設けて傾きに対して逃がすようにしたのである。さらに図４に示すように、先端が支柱２２の平行な側面のほぼ中間位置にくるので、支柱２２に対して保持ブロック１５を隙間の分（角度θ）だけ左右のいずれの方向にも回動させることができる。それによりのため、保持ブロック１５が傾いた状態でも、手摺りを直線上に取りつけることができる。この場合、図４に示すように、押さえカバー１８の押さえ部４６の内側面４６ｂの間隔は、支柱２２の平坦な側面の幅よりもいくらか大きくしている。なお、保持ブロック１５の受け部３４の内側面３４ｂの幅を先端に向かって狭くしていることにより、溝部３４ｃ内に挿入した支柱２２を弾力的に挟み込み、外れにくくなる。
【００２５】
また保持ブロック１５には、上記の構成により受け部３４の左端および右端には、縦方向に延びる突起３６、３７が形成される。左側の突起３６の先端からは、さらに裏面３３ａとほぼ平行に係合突起３８が突出している。係合突起３８の先端３８ａは、押さえカバー１８の係合端１８ａを回動自在に引っかけるため、円柱状にされている。そして係合突起３８とベース３３との間には、図１ｂのように押さえカバー１８を開いたときに係合端部４７を挿入させうる断面「く」字状ないし円弧状のガイド溝３９が形成されている（図１参照）。
【００２６】
左右の突起のうち、右側の突起３７の外面は、先端に行くほど中央側による傾斜面４０とされている。また、右端の突条３５の内側の側面４１は、突条３５が先端側に向かって細くなるように傾斜面とされている。そし傾斜している内側の側面４１と前記傾斜面４０との間は、断面台形状の凹溝４２となっている。保持ブロック１５のベース３３の左端側には、保持ブロック１５をプレート１２に締結するためのボルト１３を通す貫通孔４３が形成されている。また、突条３５の内側の側面４１には、保持ブロック１５と押さえカバー１８を一緒にプレート１２に締結するボルト１６を通すための貫通孔４４が形成されている。
【００２７】
この保持ブロック１５は、上下方向に同一の断面形状を有しており、アルミニウムの押し出し成形品を用いるのが好ましい。押し出し成形品は、図３に示すような適切な長さに切断し、ボルトを通すための貫通孔４３、４４を穿設することにより、軽量で、耐候性が高く、加工精度が高い保持ブロックを得ることができる。
【００２８】
前記押さえカバー１８は、保持ブロックの受け部３４とともに支柱２２を挟持する押さえ部４６を左右方向の中央部に有し、左端には保持ブロックの係合突起３８の先端と揺動自在に係合するフック状の係合端部４７を有する。さらに右端には、保持ブロックの突条３５に締結される基部４９を有する。押さえ部４６は、断面円弧状の内底面４６ａと、その両側に立ち上がる平坦な内側面４６ｂとからなる溝部とされている。前述のように、内側面４６ｂの間隔Ｂ１は、支柱２２の平坦な側面の幅Ｂ２よりもいくらか大きくしている。それにより図４に示すように保持ブロック１５を支柱２２に対して斜めに取りつけることがでいる。
【００２９】
基部４９と押さえ部４６の間には、保持ブロックの凹溝４２と嵌合する断面台形状の突条５０が設けられている。この押さえカバー１８もアルミニウムの押し出し成形品を用いるのが好ましい。ただし他の金属、あるいは合成樹脂であってもよい。押さえカバー１８の厚肉部分、たとえば突条５０の部分には、重量軽減およびコスト軽減のため、抜き孔１８ａが形成されている。それらの抜き孔１８アは、押出成形のときに同時に成形することができる。
【００３０】
なお押さえカバー１８の突条５０の先端は、図１に示すように、保持ブロックの凹溝４２の底面に達しない寸法にされている。それにより保持ブロック１５の凹溝４２の両側の内側面（側面４１と傾斜面４０）と押さえカバー１８の突条５０の対応する傾斜面との当接が確実になる。また、図１に示すように、保持ブロック１５の係合突起３８の前面５２は裏面３３ａと平行なほぼ平坦な面にされており、押さえカバー１８の裏面側には、その平坦な前面５２と当接する平坦面５３が形成されている。それらの前面５２および平坦面５３は、断面小判状の支柱２２の前後の中間部で、プレート１２と平行な面で分割される形態としている。それにより支柱２２を挟み込みやすく、取り外すことも容易である。
【００３１】
前記支柱２２は、たとえば図２に示すように、前後が断面円弧状の面２２ａで、左右が平坦な面２２ｂとしており、金属製の内パイプ５４の外側に合成樹脂製のカバー５５がビス５６で取りつけられた二重筒の形態を備えている。ただし通常の金属製のパイプなどでもよい。また、支柱２２は断面小判状であるが、丸パイプであってもよく、角パイプなどであってもよい。
【００３２】
上記のように構成される保持構造１０を組み立てるには、まず図２に示すように、ボルト１３とナット１４で保持ブロック１１の左側（係合突起３８があるほう）をプレート１２に取りつける。このとき、まだ締め付ける必要はない。ついで図１ｂに示すように、押さえカバー１８の係合端部４７を保持ブロック１５の係合突起３８に係合させ、開いた状態にする。そしてその状態でー支柱２２を矢印Ｐ方向に挿入し、保持ブロック１５の受け部の溝部３４ｃに嵌合させる。ついで押さえカバー１８を係合突起３８の先端を中心として矢印Ｑ方向に回動させると、保持ブロック１１と押さえカバー１８の間に支柱２２を挟み込むことができる。そして他のボルト１５を、押さえカバー１８の基部４１側の貫通孔およびその下の保持ブロックの貫通孔４４に通し、プレート１２の裏面側のナット１７に螺合させる。これにより支柱２２の構造躯体１１への仮保持が完了する。
【００３３】
ついで手摺り２０の他の支柱２２についても、同様に保持ブロック１５および押さえカバー１８で挟持して、構造躯体に仮保持させる。つぎに手摺り２０の真直性を確認しながら、必要な個所にプレート１２と保持ブロック１５の間に図３に示すＵ字状の金属薄板からなる調整スペーサ１９を挿入する。さらに保持ブロック１５の傾斜の度合いに合わせて支柱２２と保持ブロック１５の傾きを合わせる（図４参照）。そして最終的に手摺り２０の真直が確認された後、それぞれのボルト１３、１５を締め付け、取り付けが完了する。押さえカバー１８の押さえ部は厚さが薄いため、弾力性を有し、支柱２２を締を締め付けることができ、溝部３４ｃとの間にいくらか隙間が合っても、しっかりと保持することができる。
【００３４】
上記のようにして取りつけることにより、図６に示すような長い手摺り２０でも、フロア側から容易に取りつけることができる。そのため足場を設ける必要がなく、工事のコストを減少することができる。なお、図６は４層の立体駐車場を示しており、２層以上のフロアに手摺りを設けている。手摺り２０の長さはたとえば５〜１２ｍ程度であり、支柱２２は３〜６本程度設けている。
【００３５】
前記実施形態では縦方向の支柱を把持するように保持ブロックおよび押さえカバーを配置しているが、笠木部材などの横方向に延びている部材を把持して固定するために使用することもできる。
【図面の簡単な説明】
【図１】図１ａは本発明の保持構造の一実施形態を示す平面図、図１ｂはその保持構造の取りつけ途中の状態を示す平面図である。
【図２】その保持構造の組立前の平面図である。
【図３】その保持構造の組立前の斜視図である。
【図４】図１の保持構造を用いて支柱を取りつける場合の他の実施形態を示す平面図である。
【図５】図５ａおよび図５ｂはそれぞれその保持構造を用いて取りつけた立体駐車場の手摺りの一例を示す正面図および断面図である。
【図６】その保持構造を４層の立体駐車場の手摺りに適用した場合を示す立面図である。
【図７】従来の取りつけ金具の一例を示す斜視図である。
【図８】特許文献１の手摺り取りつけ構造を示す斜視図である。
【符号の説明】
１０  保持構造
１１  構造躯体
１２  プレート
１３、１６  ボルト
１４、１７  ナット
１５  保持ブロック
１８  押さえカバー
１８ａ  抜き孔
１９  調整スペーサ
２０  手摺り
２１  床面
２２  支柱
２３  笠木部材
２４  横部材
２５  縦部材
２６  腰壁
３１  貫通孔
３３  ベース
３３ａ  裏面
３４  受け部
３４ａ  内底面
３４ｂ  内側面
３４ｃ  溝部
３５  突条
３６、３７  突起
３８  係合突起
３８ａ  先端
３９  ガイド溝
４０  傾斜面
４１  内側の側面
４２  凹溝
４３、４４  貫通孔
４６  押さえ部
４６ａ  内底面
４６ｂ  内側面
４７  係合端部
４９  基部
５０  突条
５２  前面
５３  平坦面
５４  内パイプ
５５  カバー
５６  ビス
【図１】
2005009125.tif 000003
【図２】
2005009125.tif 000004
【図３】
2005009125.tif 000005
【図４】
2005009125.tif 000006
【図５】
2005009125.tif 000007
【図６】
2005009125.tif 000008
【図７】
2005009125.tif 000009
【図８】
2005009125.tif 000010